(57)【要約】  組成物であって、ａ）４５〜６５重量％の、８〜２２個の炭素原子を有する、一つ又はより多くの第二級パラフィンスルホネート、ｂ）アルコールＲ−ＯＨ（式中、Ｒは４〜８個の炭素原子を有するアルキル基である。）と、エチレンオキシド、プロピレンオキシド又はそれの混合物から選択されるアルコキシル化剤との反応から製造され、モル平均で、アルコールから誘導される構造単位１モル当たり、アルコキシル化剤から誘導される構造単位を１〜１０モル含む、一つ又はより多くのアルコールアルコキシレート及びｃ）２５〜５２重量％の水、のそれぞれを、組成物の全重量に基づいて含む組成物。該組成物は、洗浄剤及び清浄剤を製造するのに有利なやり方で使用できる。【特許請求の範囲】
【請求項１】
組成物であって、
ａ）４５〜６５重量％の、８〜２２個の炭素原子を有する、一つ又はより多くの第二級パラフィンスルホネート、
ｂ）１〜１０重量％の、アルコールＲ−ＯＨ（式中、Ｒは４〜８個の炭素原子を有するアルキル基である。）と、エチレンオキシド、プロピレンオキシド又はそれの混合物から選択されるアルコキシル化剤との反応から製造され、モル平均で、アルコールから誘導される構造単位１モル当たり、アルコキシル化剤から誘導される構造単位を１〜１０モル含む、一つ又はより多くのアルコールアルコキシレート及び
ｃ）２５〜５２重量％の水、
のそれぞれを、組成物の全重量に基づいて含む組成物。
【請求項２】
ａ）４５〜６５重量％の、８〜２２個の炭素原子を有する、一つ又はより多くの第二級パラフィンスルホネート、
ｂ）１〜７重量％の、前記一つ又はより多くのアルコールアルコキシレート、及び
ｃ）２８〜５１重量％の水、
のそれぞれを、前記組成物の全重量に基づいて含むことを特徴とする、請求項１に記載の組成物。
【請求項３】
ａ）４５〜６５重量％の、８〜２２個の炭素原子を有する、一つ又はより多くの第二級パラフィンスルホネート、
ｂ）３〜５重量％の前記一つ又はより多くのアルコールアルコキシレート、及び
ｃ）３０〜５０重量％の水、
のそれぞれを、前記組成物の全重量に基づいて含むことを特徴とする、請求項１又は２に記載の組成物。
【請求項４】
成分ａ）〜ｃ）に追加して、
ｄ）硫酸ナトリウム、及び
ｅ）８〜２２個の炭素原子を有する、一つ又はより多くのパラフィン、
を含むことを特徴とする、請求項１〜３のいずれか一つに記載の組成物。
【請求項５】
ｄ）１〜５重量％の量の硫酸ナトリウム、及び
ｅ）０．１〜２重量％の量の、８〜２２個の炭素原子を有する、一つ又はより多くのパラフィン、
のそれぞれを、前記組成物の全重量に基づいて含むことを特徴とする、請求項４に記載の組成物。
【請求項６】
成分ａ）〜ｅ）からなることを特徴とする、請求項４又は５に記載の組成物。
【請求項７】
成分ａ）の一つ又はより多くの第二級パラフィンスルホネートの少なくとも９５重量％が、１３〜１７個の炭素原子を含むことを特徴とする、請求項１〜６のいずれか一つに記載の組成物。
【請求項８】
成分ａ）の一つ又はより多くの第二級パラフィンスルホネートの９５〜１００重量％が、直線状のパラフィン部分を含み、そして成分ａ）の一つ又はより多くの第二級パラフィンスルホネートの０〜５重量％が分岐状のパラフィン部分を含むことを特徴とする、請求項１〜７のいずれか一つに記載の組成物。
【請求項９】
成分ａ）の一つ又はより多くの第二級パラフィンスルホネートの対イオンが、Ｎａ＋、Ｋ＋、Ｍｇ２＋及びＣａ２＋からなる群から選択されることを特徴とする、請求項１〜８のいずれか一つに記載の組成物。
【請求項１０】
成分ａ）の一つ又はより多くの第二級パラフィンスルホネートの対イオンが、Ｎａ＋であることを特徴とする、請求項９に記載の組成物。
【請求項１１】
成分ａ）の一つ又はより多くの第二級パラフィンスルホネートの１００重量％が、飽和されたパラフィン部分を含むことを特徴とする、請求項１〜１０のいずれか一つに記載の組成物。
【請求項１２】
成分ａ）の一つ又はより多くの第二級パラフィンスルホネートの非末端パラフィン部分にわたってスルホン酸基がランダムに分布し、そして一つ又はより多くの第二級パラフィンスルホネートの７５〜９５重量％がスルホン酸基を有し、そして、一つ又はより多くの第二級パラフィンスルホネートの５〜２５重量％が二つ又はより多くのスルホン酸基を有することを特徴とする、請求項１〜１１のいずれか一つに記載の組成物。
【請求項１３】
前記成分ｂ）の一つ又はより多くのアルコールアルコキシレートが、アルコールエトキシレートから選択されることを特徴とする、請求項１〜１２のいずれか一つに記載の組成物。
【請求項１４】
洗浄剤及び清浄剤を製造するための、請求項１〜１３に記載の組成物の使用。
【発明の詳細な説明】
【技術分野】
【０００１】
本発明は、４５〜６５重量％の第二級パラフィンスルホネート、１〜１０重量％のアルコールアルコキシレート及び水を含む水性組成物に関する。
【０００２】
第二級パラフィンスルホネートは、長い間、特に、洗浄剤用途、食器用洗剤及び工業用クリーナーのための塩基性界面活性剤として知られている。
【０００３】
第二級パラフィンスルホネートは界面活性剤であり、これは、パラフィン炭化水素鎖の第二位においてランダムに分布した主として一個のＳＯ３Ｘ基、及びより少ない程度に、パラフィン炭化水素鎖の第二位において二個又はより多数のＳＯ３Ｘ基を含む。パラフィン炭化水素鎖は主として直鎖状であり、そして５重量％以下の少ない割合だけが、８個〜２２個の炭素原子を有する分岐状のパラフィン鎖である。基Ｘは、Ｌｉ＋、Ｎａ＋、Ｋ＋、Ｍｇ＋＋、Ｃａ＋＋、ＡＩ＋＋＋、ＮＨ４＋及び第四級アンモニウムイオン［ＨＮＲ１Ｒ２Ｒ３］＋であることができ、その際、Ｒ１、Ｒ２及びＲ３は、互いに独立して、水素、１〜２２個の炭素原子を有する直鎖状又は分岐状のアルキル基、２〜２２個の炭素原子を有する一価又は多価の不飽和アルケニル基、２〜１０個の炭素原子を有する直鎖状のモノヒドロキシアルキル基、好ましくは、モノヒドロキシエチル基又はモノヒドロキシプロピル基であり、あるいは、３〜１０個の炭素原子を有する直鎖状又は分岐状のジヒドロキシアルキル基であることができる。
【０００４】
これらの界面活性剤クラスは、光化学条件下でパラフィンのスルホキシド化によって製造でき、そして、例えば、商品名Ｈｏｓｔａｐｕｒ（登録商標）  ＳＡＳで、３０重量％、６０重量％及び９３重量％の濃度が市場で得られる。
【０００５】
約６０重量％濃度の、水性の第二級パラフィンスルホネートはペースト状であり、そして相分離に到る傾向がある。その分離を回避するために、これらは永続的に撹拌するか又は回路内をポンプで循環（ｉｍ  Ｋｒｅｉｓ  ｕｍｇｅｐｕｍｐｔ）させなければならない。それゆえに求められているのは、相分離を抑圧する添加剤であり、そしてそれによって、相分離を防止するためのエネルギーを大量に消費する撹拌プロセス又はポンププロセスが省かれる。
【０００６】
５〜１０重量％のエタノール又はｉ−プロパノールを、約６０重量％濃度の水性の第二級パラフィンスルホネートに添加する場合に、相分離が起こらないことが知られている。しかし、調合物が可燃性であり、そして適当な安全対策をとらなければならないという欠点がある。
【発明の概要】
【発明が解決しようとする課題】
【０００７】
したがって、本発明の課題は、高い割合の第二級パラフィンスルホネートを有する組成物であって、比較的長い貯蔵時間及び比較的大きな温度変化の場合でも、相分離が全く見られず、そして、可燃性成分を全く含まない組成物を提供することである。
【課題を解決するための手段】
【０００８】
驚くべきことに、この課題が、組成物の全重量に基づいて、
ａ）４５〜６５重量％の、８〜２２個の炭素原子を有する一つ又はより多くの第二級パラフィンスルホネート、
ｂ）１〜１０重量％の、アルコールＲ−ＯＨ（式中、Ｒは４〜８個の炭素原子を有するアルキル基である。）と、エチレンオキシド、プロピレンオキシド又はそれの混合物から選択されるアルコキシル化剤との反応から製造され、モル平均で、アルコールから誘導される構造単位１モル当たり、アルコキシル化剤から誘導される構造単位を１〜１０モル含む、一つ又はより多くのアルコールアルコキシレート
及び
ｃ）２５〜５２重量％の水、
をそれぞれ含む組成物によって解決されることが見出された。
【０００９】
それゆえ、本発明の対象は、組成物の全重量に基づいて、
ａ）４５〜６５重量％の、８〜２２個の炭素原子を有する一つ又はより多くの第二級パラフィンスルホネート、
ｂ）１〜１０重量％の、アルコールＲ−ＯＨ（式中、Ｒは４〜８個の炭素原子を有するアルキル基である。）と、エチレンオキシド、プロピレンオキシド又はそれの混合物から選択されるアルコキシル化剤との反応から製造され、モル平均で、アルコールから誘導される構造単位１モル当たり、アルコキシル化剤から誘導される構造単位を１〜１０モル含む、一つ又はより多くのアルコールアルコキシレート
及び
ｃ）２５〜５２重量％の水、
をそれぞれ含む組成物である。
【００１０】
成分ａ）の第二級パラフィンスルホネートも、アルコールアルコキシレートｂ）も、当業者に周知の方法で製造可能であるか、又は購入により入手可能である。
【００１１】
本発明の組成物は、良好な相安定性を有する。組成物は、６〜数ヶ月超の期間にわたり、好ましくは、５〜４０℃の温度範囲内で相安定である。組成物は、環境適合性であり、ほぼ無臭であり、特に均一な外観を有し、そしてさらには、とりわけ、透明乃至無色であり、そして特に無色である。
【００１２】
とりわけ、本発明の組成物は、２０℃において、１，０００〜１００，０００ｍＰａ・ｓ、特に好ましくは２，０００〜７０，０００ｍＰａ・ｓ、就中、５，０００〜６０，０００ｍＰａ・ｓの粘度を有する。粘度は、本発明の組成物自体が、以下の条件下測定される：器機Ｂｒｏｏｋｆｉｅｌｄ  ＲＶ；１，０００〜５，０００ｍＰａ・ｓの粘度についてはスピンドルＮｏ．３；＞５，０００〜１０，０００ｍＰａ・ｓの粘度についてはスピンドルＮｏ．４；そして＞１０，０００〜１００，０００ｍＰａ・ｓの粘度についてはスピンドルＮｏ．７；毎分２０回転及び２０℃。
【００１３】
本発明の組成物は、より有利にはポンプ輸送可能である。
【００１４】
特に、本発明の組成物は、組成物の全重量に基づいて、
ａ）４５〜６５重量％の、８〜２２個の炭素原子を有する一つ又はより多くの第二級パラフィンスルホネート、
ｂ）１〜７重量％の一つ又はより多くのアルコールアルコキシレート、及び
ｃ）２８〜５１重量％の水、
をそれぞれ含む。
【００１５】
特に好ましくは、本発明の組成物は、組成物の全重量に基づいて、
ａ）４５〜６５重量％の、８〜２２個の炭素原子を有する一つ又はより多くの第二級パラフィンスルホネート、
ｂ）３〜５重量％の、一つ又はより多くのアルコールアルコキシレート、及び
ｃ）３０〜５０重量％の水、
をそれぞれ含む。
【００１６】
とりわけ、本発明の組成物は、成分ａ）〜ｃ）に追加して、
ｄ）硫酸ナトリウム、及び
ｅ）８〜２２個の炭素原子を有する一つ又はより多くのパラフィン、
を含む。
【００１７】
これらの組成物において好ましいのは、
ｄ）１〜５重量％の量の硫酸ナトリウム、及び
ｅ）０．１〜２重量％の量の、８〜２２個の炭素原子を有する一つ又はより多くのパラフィン、
を、組成物の全重量に基づいてそれぞれ含むものである。
【００１８】
本発明の好ましい一実施形態において、本発明の組成物は、成分ａ）〜ｅ）からなる。
【００１９】
成分ａ）の一つ又はより多くの第二級パラフィンスルホネートの、好ましくは少なくとも９５重量％、より好ましくは、少なくとも９７重量％は、１３〜１７個の炭素原子を含む。
【００２０】
成分ａ）の一つ又はより多くの第二級パラフィンスルホネートの、好ましくは９５〜１００重量％、より好ましくは９６〜９９．９重量％は、直線状のパラフィン部分であり、成分ａ）の一つ又はより多くの第二級パラフィンスルホネートの０〜５重量％、より好ましくは０．１〜４重量％は、分岐状のパラフィン部分である。
【００２１】
成分ａ）の一つ又はより多くの第二級パラフィンスルホネートの対イオンは、好ましくは、Ｎａ＋、Ｋ＋、Ｍｇ２＋及びＣａ２＋からなる群から選択される。特に好ましくは、成分ａ）の一つ又はより多くの第二級パラフィンスルホネートの対イオンは、Ｎａ＋である。
【００２２】
成分ａ）の一つ又はより多くの第二級パラフィンスルホネートの、好ましくは９９．５〜１００重量％は飽和パラフィン部分であり、そして、成分ａ）の一つ又はより多くの第二級パラフィンスルホネートの０〜０．５重量％は不飽和パラフィン部分である。特に好ましくは、成分ａ）の一つ又はより多くの第二級パラフィンスルホネートの１００重量％は飽和パラフィンであり、そして不飽和部分を含まない。
【００２３】
本発明の範囲において、“第二級パラフィンスルホネート（ｓｅｋｕｎｄａｅｒｅｓ  Ｐａｒａｆｆｉｎｓｕｌｆｏｎａｔ）”とは、非末端パラフィン部分にスルホン酸基があることを意味する。
【００２４】
スルホン酸基は、好ましくは、成分ａ）の一つ又はより多くの第二級パラフィンスルホネートの非末端パラフィン部分上にランダムに分布し、そして、更に好ましくは、成分ａ）の一つ又はより多くの第二級パラフィンスルホネートの７５〜９５重量％は、一個のスルホン酸基であり、そして、成分ａ）の一つ又はより多くの第二級パラフィンスルホネートの５〜２５重量％は、二個又は撚り多くのスルホン酸基である。
【００２５】
成分ｂ）のアルコールアルコキシレートを製造するために使用される、アルコールＲ−ＯＨの残基Ｒは、直線状又は分岐状であることができるか、又は同時に、直線状及び分岐状のアルキル基からなる混合物であることもできる。それゆえ、後者の場合、成分ｂ）のアルコールアルコキシレートを製造するために、直線状及び分岐状のアルキル基Ｒを有するアルコールＲ−ＯＨからなる混合物が使用される。
【００２６】
とりわけ、成分ｂ）のアルコールアルコキシレートを製造するために使用される、アルコールＲ−ＯＨの残基Ｒは、５〜７個、特に好ましくは６個の炭素原子を有するアルキル残基である。
【００２７】
とりわけ、成分ｂ）の一つ又はより多くのアルコールアルコキシレートは、アルコールエトキシレートから選択される。
【００２８】
成分ｂ）のアルコールアルコキシレートは、アルコールと、アルコキシル化剤との反応によって得られる。アルコールアルコキシレートは、異なるアルキル化度を有する様々な化合物の混合物である。成分ｂ）のアルコールアルコキシレートは、常に、アルコキシル化化合物を含む。しかし、それらは、非アルコキシル化アルコールＲ−ＯＨの部分も含み得る。
【００２９】
それ故、本発明の範囲において、成分ｂ）の“アルコールアルコキシレート”は、アルコールから誘導される構造単位１モル当たり、アルコキシル化剤から誘導される構造単位１〜１０モルを有するアルコキシル化アルコールを含むが、アルコールから誘導される構造単位１モル当たり、アルコキシル化剤から誘導される構造単位１０モル超を含むことのできる、それ以外にも、非アルコキシル化アルコールＲ−ＯＨ及びアルコキシル化アルコールを含む化合物であると理解される。しかし、成分ｂ）のアルコールアルコキシレートは、モル平均において、アルコールＲ−ＯＨから誘導される構造単位１モル当たり、アルコキシル化剤から誘導される構造単位１〜１０モルを含む。
【００３０】
とりわけ、成分ｂ）のアルコールアルコキシレート中の非アルコキシル化アルコールＲ−ＯＨの割合は、＜５０重量％、より好ましくは＜３０重量％、特に好ましくは＜２０重量％、就中、＜１５重量％であり、いずれの場合も全成分ｂ）に基づく。
【００３１】
特に、アルコールから誘導される構造単位１モル当たり、アルコキシル化剤から誘導される構造単位１０モル超を含むアルコキシル化アルコールの割合は、成分ｂ）のアルコールアルコキシレート中、＜３０重量％、より好ましくは＜２５重量％、特に好ましくは＜２０重量％、就中＜１５重量％であり、いずれの場合も全成分ｂ）に基づく。
【００３２】
とりわけ、本発明の組成物の成分ｂ）のアルコールアルコキシレートの実際のアルコキシル化された化合物は、アルコキシル化剤から誘導される構造単位を１〜５０個、より好ましくは１〜３０個、特に好ましくは１〜２５個、就中１〜２０個含む化合物から選択される。
【００３３】
特に、本発明の組成物の成分ｂ）のアルコールアルコキシレートは、モル平均で、アルコールから誘導される構造単位１モル当たり、アルコキシル化剤から誘導される構造単位を３〜７モル含む。
【００３４】
より好ましくは、本発明の組成物の成分ｂ）のアルコールアルコキシレートは、モル平均で、アルコールから誘導される構造単位１モル当たり、アルコキシル化剤から誘導される構造単位を５モル含む。
【００３５】
特に好ましくは、一つ又はより多くのアルコールアルコキシレートは、モル平均で、ヘキサノール１モル当たり、エチレンオキシド単位（ＥＯ−単位）を５モル有するヘキサノールエトキシレートである。そのようなヘキサノールエトキシレートは、例えば、名称“Ｅｍｕｌａｎ（登録商標）  ＨＥ  ５０”（ＢＡＳＦ）で、購入により入手できる。
【００３６】
好ましくは、本発明の組成物は、６．０〜９．０、より好ましくは、７．０〜８．５のｐＨ値を有する。
【００３７】
本発明の組成物は、室温又はより高い温度、好ましくは、８０℃までの温度で、撹拌下で、成分ａ）〜ｃ）、及び場合によってはｄ）及びｅ）（そして、場合によってはさらなる成分）を相互に混合して製造することができる。好ましくは、成分ａ）は、場合によって、成分ｃ）を意味する水の中の成分ｄ）及びｅ）、及び成分ｂ）と一緒に撹拌下で加えられる。この場合、アルコールアルコキシレートは、慣用的に水中で製造される第二級パラフィンスルホネートの製造及び加工直後に、加えられる。
【００３８】
本発明の組成物は、有利な方法において洗浄剤及び清浄剤の製造に適している。したがって、本発明の更なる対象は、洗浄剤及び清浄剤を製造するための、本発明の組成物の使用に関する。
【００３９】
特に、本発明の組成物から製造可能な洗浄剤及び清浄剤とは、食器用洗剤、好ましくは、手洗い食器用洗剤、液体洗濯洗剤、例えば、セラミック表面、金属表面又はガラス表面を洗浄するための硬質面クリーナー（Ｏｂｅｒｆｌａｅｃｈｅｎｒｅｉｎｉｇｕｎｇｓｍｉｔｔｅｌ）、中性クリーナー、多目的クリーナー、トイレ用クリーナー、床用クリーナー、工業用クリーナーであるが、粉末形態の洗浄剤及び清浄剤でもある。
【００４０】
本発明の組成物は、好ましくは０．５〜６０．０重量％、特に好ましくは、２．０〜５０．０重量％の量で、その組成物から製造された洗浄剤及び清浄剤中に含有される。これらの量の指示は、完成した洗浄剤及び清浄剤の全重量に関連する。
【００４１】
本発明の組成物は、酸性調合物か、又は塩基性調合物で使用することができ、好ましくは、２〜１３のｐＨ値を有する調合物で使用できる。本発明の組成物は、これらのｐＨ値において安定であるという利点によって特徴付けられる。
【００４２】
本発明の組成物は、有利に、例えば、シャンプー、シャワージェル、バスバブル、石けん及び歯磨き粉のような化粧用洗浄剤の製造に更に適している。
【００４３】
さらに、本発明の組成物は、プラスチックスの帯電防止剤として、エマルション重合の助剤として、テキスタイル助剤及び皮革助剤として、消火剤中で使用するのに、及び油田化学物質として使用するのに、有利に適している。
【実施例】
【００４４】
以下の例は、本発明をそれらに限定することなく説明するものである。全てのパーセンテージ指示は、別途明記されない限り重量パーセント（重量％）であると解されるべきである。
【００４５】
例Ａ
本発明の組成物の例Ａ１〜Ａ６、並びに比較例Ｖ−１及びＶ−２を製造し、そしてそれらの外観、相安定性及び不変性（Ｋｏｎｓｉｓｔｅｎｚ）を視覚的に評価した。アルコールアルコキシレートの量の影響を調査した。結果を表Ａに示す。
【００４６】
【表１】
2014504325.tif 000002
【００４７】
製造法：
Ｈｏｓｔａｐｕｒ（登録商標）  ＳＡＳ  ６０を提供し、そして、撹拌下で室温において、ヘキサノール、５ＥＯを加え、そして５分間撹拌する。
【００４８】
Ｈｏｓｔａｐｕｒ（登録商標）  ＳＡＳ  ６０は、水中の、第二級パラフィンスルホン酸ナトリウム（約６０重量％）の組成物である。使用される第二級パラフィンスルホネートは、約９７重量％までの、１３〜１７個の炭素原子を有するパラフィンスルホネートを含有する。第二級パラフィンスルホネートのｎ−パラフィン割合は、＞９８重量％である。第二級パラフィンスルホネートは１００％まで飽和されている。第二級パラフィンスルホネートは、約９０重量％までは、モノスルホン化されたパラフィンスルホネートからなり、そして約１０重量％まではジスルホン化及びより高度にスルホン化されたパラフィンスルホネートからなる。
【００４９】
ヘキサノール、５ＥＯは、モル平均で、ヘキサノール１モル当たり、エチレンオキシド単位を５モル有するヘキサノールエトキシレートである。
【００５０】
組成物Ａ１〜Ａ６、Ｖ−１及びＶ−２の相安定性は、組成物を６ヶ月の期間にわたり、４０℃の温度で１２時間、及び５℃の温度で１２時間、交互に貯蔵した後に評価した。しかし、観察された相分離は、６ヶ月後に初めて現れたことを意味するものではない。
【００５１】
表Ａの結果から、本発明の例Ａ１〜Ａ６は、相安定な組成物であることがわかる。それとは対照的に、少量のヘキサノール、５ＥＯを有する比較例Ｖ−１の組成物の場合、相分離が発生した。より多量のヘキサノール、５ＥＯを有する比較例Ｖ−２の組成物の場合も同じことが起こった。
【００５２】
ヘキサノール、５ＥＯの添加により、本発明の例Ａ１〜Ａ６の組成物中のＨｏｓｔａｐｕｒ（登録商標）  ＳＡＳ  ６０の粘度は低減される。これらの組成物は、市場から入手可能なポンプで支障なく輸送できるような粘度を有していた。
【００５３】
例Ｂ
比較例Ｖ−３及びＶ−４を製造し、そしてそれらの相安定性を視覚的に評価した。アルコールアルコキシレートの種類の影響を調査した。結果を表Ｂに示す。
【００５４】
【表２】
2014504325.tif 000003
【００５５】
製造：
Ｈｏｓｔａｐｕｒ（登録商標）  ＳＡＳ  ６０を提供し、そして、撹拌下で室温において、アルコールアルコキシレートを加え、そして５分間撹拌する。
【００５６】
Ｃ１２−１５アルコール、３ＥＯは、モル平均で、Ｃ１２−１５オキソアルコール１モル当たり、エチレンオキシド単位を３モル有する、Ｃ１２−１５オキソアルコールエトキシレートである。
【００５７】
Ｃ１１アルコール、５ＥＯは、モル平均で、Ｃ１１オキソアルコール１モル当たり、エチレンオキシド単位を５モル有するＣ１１オキソアルコールエトキシレートである。
【００５８】
組成物Ｖ−３及びＶ−４の相安定性を、例Ａで説明したように評価した。
【００５９】
表Ｂの結果から、本発明の組成物の成分ｂ）以外のアルコールアルコキシレートを含む比較例Ｖ−３及びＶ−４の組成物の場合、相分離が生じることがわかる。対照的に、表Ａから本発明の例Ａ５の結果について、同じ量のアルコールアルコキシレートではあるが、本発明の組成物の成分ｂ）に相当するアルコールアルコキシレートを使用する場合、相安定な組成物が得られることがわかる。
【００６０】
調合物例
以下に、本発明の組成物の使用下で製造された調合物を与える。
【００６１】
【表３】
2014504325.tif 000004
【００６２】
製造：
室温において撹拌下で、成分Ｂ〜Ｆを、成分Ａに順次添加する。
【００６３】
【表４】
2014504325.tif 000005
【００６４】
製造：
Ｉ：４０〜５０℃で、水に成分Ａを溶解
ＩＩ：撹拌下でＢをＩに添加
ＩＩＩ：ＣをＩＩに添加
【００６５】
【表５】
2014504325.tif 000006
【００６６】
製造：
Ｉ：室温で成分Ａを混合
ＩＩ：成分Ｂ及びＣをＩに添加
ＩＩＩ：均質化
【００６７】
【表６】
2014504325.tif 000007
【００６８】
製造：
Ｉ：室温において撹拌下で、成分ＢをＡに順次添加
ＩＩ：５０℃に加温して、撹拌下で成分ＣをＩに添加、及び溶解
ＩＩＩ：撹拌下で成分ＤをＩＩに順次添加
ＩＶ：室温に冷却
Ｖ：撹拌下で成分ＥをＩＶに添加
【００６９】
調合物例中、調合物の構成成分は、上記で示す量で使用した。すなわち、量は、上記のように使用した市販の製品に基づいており、含まれる活性成分に基づくものではない。
【国際調査報告】
2014504325.tif 000008
2014504325.tif 000009
2014504325.tif 000010
2014504325.tif 000011